(57)【要約】      （修正有）【課題】指定した読取領域と原稿領域が異なった場合であっても、必要な場合のみ読み取りを中止することで、生産性を低下させない。【解決手段】原稿の画像を読み取る画像読取部と、原稿束Ｓを積載する原稿トレー３０と、原稿トレー３０に載置された原稿のサイズを検知する原稿幅検知センサ、原稿長検知センサ１５、１６と、原稿トレー３０に載置された原稿を画像読取部に搬送するＡＤＦ１００と、原稿を搬送するモータの駆動パルスをカウントすることで原稿搬送長を検知するＣＰＵと、読み取られる原稿の読取サイズに関する情報を入力する操作表示部と、操作表示部から入力された読取サイズ及び原稿トレー３０に載置された原稿サイズ情報に基づいて決定される読取領域と、原稿搬送長情報により決定される原稿領域との重なり領域を算出し、その結果に応じて所定の読み取り動作と表示を行う制御部とを有する。【選択図】図１３
2017034529.tif 000002
【特許請求の範囲】
【請求項１】
原稿の画像を読み取る読取部と、
原稿を載置する載置部と、
前記載置部に載置された原稿のサイズを検知する載置部サイズ検知手段と、
前記載置部に載置された原稿を前記読取部に搬送する搬送部と、
前記搬送部により搬送される原稿のサイズを検知する搬送部サイズ検知手段と、
読み取られる原稿の読取サイズに関する情報を入力する入力部と、
前記入力部から入力された読取サイズ及び前記載置部サイズ検知手段による検知に基づいて決定される読取領域と、前記搬送部サイズ検知手段により決定される原稿領域とから、前記読取領域と前記原稿領域との重なり領域を算出する制御部と、
前記算出された情報に基づいて所定の報知を行うための報知手段と、
を有することを特徴とする画像読取装置。
【請求項２】
前記制御部は、前記原稿先端からの読み取り開始位置と、前記搬送部サイズ検知手段により検知される原稿のサイズから前記重なり領域を算出することを特徴とする請求項１記載の画像読取装置。
【請求項３】
前記制御部は、前記原稿先端から読み取り開始位置までの長さと、前記搬送部サイズ検知手段により検知される原稿の搬送方向長さとから前記重なり領域を算出することを特徴とする請求項１又は請求項２に記載の画像読取装置。
【請求項４】
前記制御部は、前記原稿先端から読み取り開始位置までの長さと、前記読取領域の面積と、前記搬送される原稿の面積とから前記重なり領域を算出することを特徴とする請求項１又は請求項２に記載の画像読取装置。
【請求項５】
前記重なり領域が閾値以下の場合に、所定の報知を行うことを特徴とする請求項１乃至請求項４のいずれか１項に記載の画像読取装置。
【請求項６】
前記所定の報知は、読取が正常に行われなかったことを表示をすることであることを特徴とする請求項1乃至請求項５のいずれか1項に記載の画像読取装置。
【請求項７】
前記所定の報知は、読取倍率の変更を促す表示をすることであることを特徴とする請求項１乃至請求項６のいずれか1項に記載の画像読取装置。
【請求項８】
前記重なり領域が閾値以下の場合に、画像読み取りを実行しないことを特徴とする請求項１乃至請求項７のいずれか１項に記載の画像読取装置。
【請求項９】
前記重なり領域が閾値以下の場合に、原稿を排出部に排出することを特徴とする請求項８記載の画像読取装置。
【請求項１０】
画像読取装置により読み取った情報をシートに画像形成する画像形成装置において、
前記画像読取装置として、請求項１乃至請求項９のいずれか１項に記載の画像読取装置を備えたことを特徴とする画像形成装置。
【発明の詳細な説明】
【技術分野】
【０００１】
本発明は、原稿に記載された画像をサイズを指定して読み取ることが可能な画像読取装置及びこれを備えた画像形成装置に関する。
【背景技術】
【０００２】
複写機等の画像読取装置においては、いわゆる自動原稿搬送部により読み取り対象となる原稿を１枚ずつ連続的に搬送し、これらの原稿から画像を光学的に読み取って画像データを得るスキャン動作が一般的に行われている。
【０００３】
自動原稿給送搬送装置部により送られた原稿を読み取る際に、原稿束を載置するトレイ上で原稿のサイズを検出し、検出したサイズの画像領域を読み取ることがある。トレイ上で検出した原稿のサイズを用いることにより、プリンタから給送するシートサイズを決定する等の処理を進めることができる。これにより、単位時間当たりの読取枚数である生産性やプリント動作を開始してから１枚目のシートが排出されるまでの時間ＦＣＯＴ（First Copy Output Time）を向上できる。
【０００４】
しかし、トレイ上で検出した原稿のサイズと、搬送して読み取った原稿のサイズとが異なる場合がある。例えば、トレイ上で複数の異なる原稿サイズを混ぜて載置（混載）されている場合である。この場合に、ユーザが画像読み取りサイズを指定すると、ユーザが指定したサイズに対する原稿の読取領域と、実際の正しい原稿サイズから決まる原稿の読取領域とが異なる状態が発生する場合がある。
【０００５】
この状態で読み取りを継続すると、正しい読み取り領域で読み取られず、原稿の読取画像が元の原稿に対して欠けてしまう懸念がある。最悪の場合、読み取り領域と原稿領域が全く一致せずに白紙になる懸念もある。
【０００６】
このような読み取り画像の異常に対して、異常判定ユニットで異常値を判定し、異常が検出された場合には、読み取り位置を変更するようにした構成が提案されている（特許文献１）。
【０００７】
また、読み取り画像が欠ける可能性を低減させるために、搬送中の搬送方向の原稿長さを測定し、画像サイズを切り替えて読み取るようにした構成も提案されている（特許文献２）。
【先行技術文献】
【特許文献】
【０００８】
【特許文献１】特許第３３１３０９８号
【特許文献２】特開２０００-１５５４４４
【発明の概要】
【発明が解決しようとする課題】
【０００９】
上述のようにユーザが画像読み取りサイズを指定した場合、ユーザが指定したサイズに対する原稿の読取領域と、実際に搬送されてきた原稿サイズから決まる原稿の読取領域とが異なる状態が発生する。このとき、特許文献１のように異常判定ユニットにより異常が検出された場合に読み取り位置を変更したり、特許文献２のように搬送方向の原稿長さを測定して画像サイズを切り替えて読み取る構成では、プリンタから給送するシートサイズを決定できない。そのため、生産性やＦＣＯＴの低下が懸念される。すなわち、生産性やＦＣＯＴが低下しないようにしつつ、画像の欠損を予防できないという課題がある。
【００１０】
ここで、ユーザが指定した読取領域と、原稿領域が異なる場合であっても実際の原稿サイズ以上の大きさの領域を画像読み取りサイズとして指定している場合には、画像の読み取り欠損は生じない。このような画像の欠損が生じない場合には、むやみに原稿の読み取りを中止すると使い勝手が悪くなってしまう。
【００１１】
本発明は上記点に鑑みてなされたものである。本発明の目的は、指定した読取領域と原稿領域が異なった場合であっても、必要な場合のみ読み取りを中止することで、生産性やＦＣＯＴが低下せずに、ユーザが原稿の画像欠けに迅速に気づくことができる画像読取装置及び画像形成装置を提供するものである。
【課題を解決するための手段】
【００１２】
上記目的を達成するための本発明に係る代表的な構成は、原稿の画像を読み取る読取部と、原稿を載置する載置部と、前記載置部に載置された原稿のサイズを検知する載置部サイズ検知手段と、前記載置部に載置された原稿を前記読取部に搬送する搬送部と、前記搬送部により搬送される原稿のサイズを検知する搬送部サイズ検知手段と、読み取られる原稿の読取サイズに関する情報を入力する入力部と、前記入力部から入力された読取サイズ及び前記載置部サイズ検知手段による検知に基づいて決定される読取領域と、前記搬送部サイズ検知手段により決定される原稿領域とから、前記読取領域と前記原稿領域との重なり領域を算出する制御部と、所定の報知を行うための報知手段と、を有することを特徴とする。
【発明の効果】
【００１３】
本発明によれば、読取画像の欠損を自動的に判断し、ユーザに報知可能とすることにより、ユーザが迷うことなく原稿の読み直しのための再設定を行うことができる原稿読取装置及び画像形成装置を提供することができる。
【図面の簡単な説明】
【００１４】
【図１】実施形態に係る画像読取装置を有する画像形成装置の断面図である。
【図２】実施形態に係る画像読取装置のブロック図である。
【図３】実施形態に係る画像読取装置を上から見た図である。
【図４】原稿領域および読取領域との領域の組合せ例を示した図である。
【図５】サイズ異常原稿を検知し、報知するフローチャートである。
【図６】サイズ異常原稿を検知し、報知するフローチャートである。
【図７】原稿サイズ検知センサの検知結果から原稿サイズを判定する原稿サイズ判定表である。
【図８】Ａ４とＡ３サイズの原稿を原稿トレイ上に載置したときの断面図である。
【図９】Ａ４原稿を搬送しているときの断面図である。
【図１０】原稿領域および読取領域との搬送方向における重なり長さを表した図である。
【図１１】原稿領域および読取領域との搬送方向における重なり面積を表した図である。
【図１２】中止または倍率の設定を選択することを報知するときの操作部画面表示である。
【図１３】Ａ４原稿を排出トレイに排出したときの断面図である。
【図１４】原稿読取サイズ不一致時に、混載または倍率の設定を選択する操作部画面表示である。
【図１５】混載または原稿トレイ上のもの取り除く設定を報知するときの操作部画面表示である。
【図１６】原稿トレイ上に原稿と原稿以外のものが載置されていたときの断面図である。
【発明を実施するための形態】
【００１５】
図１は本実施形態に係る画像読取装置を含む画像形成装置全体の断面図である。本実施形態の画像形成装置Ａは、装置本体の上部に画像読取装置１０００が配置され、その下部に画像記録装置２０００が配置された複写機である。すなわち、画像読取装置１００にセットした原稿を読み取り、その読み取り情報に基づいて装置下部にセットしたカセット２００１から搬送ローラ対によってシートを電子写真方式を用いた画像記録部２００２へ搬送してトナー画像を形成し、定着部２００３においてトナー定着した後に装置外へと排出するものである。
【００１６】
本実施形態の画像読取装置１０００は、原稿の画像を読み取る画像読取部２００と、自動原稿給送搬送装置部（以下、ＡＤＦ）１００を備えており、さらに図１にはコントローラ部（不図示）が接続されている。
【００１７】
＜画像読取部＞
画像読取部２００について、図１を参照しながら説明する。画像読取部２００は、原稿載置ガラス２０９上に設置された原稿シートについて、光学スキャナユニット２０２を図１の矢印に示す副走査方向に一定速度で走査することで、原稿に記録された画像情報を１ラインずつに読み取る（固定読み）。また、ＡＤＦ１００上の原稿については、光学スキャナユニット２０２をＡＤＦ１００のリードローラ７の中心位置にくるように移動し、後述の方法で給送搬送される原稿を、光学的に読み取る（流し読み）。
【００１８】
＜ＡＤＦ＞
ここで、ＡＤＦ１００の構成について、図１を参照しながら動作とともに説明する。図１に示すＡＤＦ１００は、１枚以上の原稿シートで構成される原稿束Ｓを積載載置する載置部である原稿トレイ３０と、原稿の搬送開始前に、原稿束Ｓが原稿トレイ３０より突出して下流への進出を規制する分離上・下ローラ２，３と、給送ローラ１とを有する。原稿トレイ３０には原稿有無検知センサ１０があり、原稿トレイ３０上の原稿の有無が判断できるようになっている。
【００１９】
原稿トレイ３０に載置された原稿は搬送部によって画像読取部２００へと搬送される。具体的には、給送ローラ１は、原稿トレイ３０に積載された原稿束Ｓの原稿面に落下して回転する。これにより、原稿束の最上面の原稿が給送される。給送ローラ１によって給送された原稿は、分離上ローラ２と分離下ローラ３の作用によって最上面の一枚が分離・搬送される。この分離は公知の分離技術によって実現されている。
【００２０】
分離上ローラ２と分離下ローラ３によって分離された原稿は、引抜ローラ４により、レジストレーションローラ５へ搬送され、レジストレーションローラ５に原稿を突き当てられる。これにより原稿はループ状のたわみが形成され、原稿の搬送における斜行が解消される。レジストレーションローラ５の下流側には、レジストレーションローラ５を通過した原稿を表面流し読みガラス２０１方向へ搬送する給送路が配置されている。
【００２１】
給送路に送られた原稿は、読み取り上流ローラ６によって画像読取位置に搬送される。流し読みガラス２０１とリードローラ７の間を通過する際、原稿の表面はＬＥＤ２０３ａ，２０３ｂで照射される。その反射光は、複数のミラー２０４ａ，２０４ｂ，２０４ｃで屈曲されながら、画像読取センサ２０８によって原稿の表面画像を１ラインずつ読み取られる。読み取り下流ローラ８により搬送された原稿は、原稿の表面画像のみを読み取る場合には排出センサ１３を通過しながら排出ローラ９によって排出部である排出トレイ３１まで搬送される。
【００２２】
原稿の裏面画像も読み取る場合には、前記のごとくして表面画像を読み取り、原稿の後端が排出センサ１３を通過した後、排出ローラ９を抜ける前に原稿を停止させる。そして排出ローラ９を逆回転させることで、原稿をレジストレーションローラ５へ向けて搬送し、上述した搬送と同じように搬送することで、原稿の裏面を読み取ることができる。さらに、裏面画像を読み取り完了後、原稿の後端が排出センサ１３を通過した後、排出ローラ９を抜ける前に原稿を停止させ、再度原稿をレジストレーションローラ５へ向けて搬送し、画像を読み取らずに排出トレイ３１まで搬送する。これによりすべての原稿画像読み取り後、画像読取前に原稿トレイ３０上にあった原稿の並び順と、排出トレイ３１に排出される原稿の同じ並び順が同じになる。
【００２３】
＜ブロック図の説明＞
図２は、ＡＤＦを含む本実施形態の画像読取装置の制御部の構成例を示すブロック図である。原稿読取／ＡＤＦ制御コントローラ３１０は、ＣＰＵ（Ａ）８０１、ＲＯＭ（Ａ）８０２、ＲＡＭ（Ａ）８０３を備えている。ＲＯＭ（Ａ）８０２には、制御プログラムが格納されており、ＲＡＭ（Ａ）８０３には、入力データや作業用データが格納される。図５及び図６に示したフローチャートにしたがって、ＣＰＵ（Ａ）８０１が制御プログラムを実行する。
【００２４】
ＣＰＵ（Ａ）８０１には原稿搬送機能を実現するために、給送ローラ１、分離上ローラ２、引き抜きローラ４、レジストレーションローラ５を回転駆動させる分離モータ８０５、読み取り上流ローラ６、リードローラ７、読み取り下流ローラ８、排出ローラ９を駆動させる読取モータ８０６が接続されている。
【００２５】
さらに、原稿トレイ３０に積載された原稿を検知する原稿有無検知センサ１０、原稿搬送路上の原稿端部を検知するレジストレーションセンサ１１、リードセンサ１２、排出センサ１３、原稿幅を検出する原稿幅検知センサ１４が接続されている。
【００２６】
また、搬送部によって搬送される原稿のサイズを検知できるように搬送部サイズ検知手段が設けられている。本実施形態の搬送部サイズ検知手段は原稿を搬送するモータをパルスモータで構成し、その駆動パルス数をカウントすることで原稿搬送長を検知する。具体的には、光学モータ８０４、分離モータ８０５、読取モータ８０６はパルスモータであり、ＣＰＵ（Ａ）８０１は駆動パルス数をカウントしながら制御することで各モータの回転数を管理している。ＣＰＵ（Ａ）８０１は、原稿搬送中にレジストレーションセンサ５がＯＮしてからＯＦＦするまでの分離モータ８０５の駆動パルス数をカウントする。これにより、搬送中の原稿の長さを検知することができる。
【００２７】
また、原稿トレイ３０上に原稿が置かれた状態でも、原稿サイズを検知することが可能な載置部サイズ検知手段が設けられている。そのために、原稿トレイ３０の所定位置には原稿長検知センサ１５，１６が設けられ、この原稿長検知センサ１５，１６を用いて原稿の長さを判定検知することができる。例えば、原稿を原稿トレイ３０上に載置した状態の原稿先端位置Ｏから原稿長検知センサ１５までの距離を２２０［ｍｍ］とし、原稿先端位置Ｏから原稿長検知センサ１６までの距離を３３０［ｍｍ］とする。このとき、原稿長検知センサ１５がＯＦＦかつ原稿長検知センサ１６がＯＦＦのとき、原稿の搬送方向（副走査方向）の長さは、２２０［ｍｍ］未満の長さだと判断できる。原稿長検知センサ１５がＯＮかつ原稿長検知センサ１６がＯＦＦのとき、原稿の搬送方向（副走査方向）の長さは、２２０［ｍｍ］以上３３０［ｍｍ］未満の長さだと判断できる。原稿長検知センサ１５がＯＮかつ原稿長検知センサ１６がＯＮのとき、原稿の搬送方向（副走査方向）の長さは、３３０［ｍｍ］以上の長さだと判断できる。
【００２８】
上記の手段による搬送中及び原稿トレイ３０上で検知した原稿の長さと、原稿幅検知センサ１４によって検知できる原稿幅の情報を合わせることで、ＣＰＵ（Ａ）８０１は原稿サイズを判定する。
【００２９】
ＣＰＵ（Ａ）８０１には、画像読取機能を実現するために、ＬＥＤ２０３、画像読取センサ２０８が接続される。ＣＰＵ（Ａ）８０１は画像読取センサ２０８によって読み取られた画像データを画像処理部８０７でシェーディング処理や各種のフィルタ処理を実施してから画像通信部３０２を介して画像処理コントローラ部３００へ送信する。さらに、ＣＰＵ（Ａ）８０１は原稿画像データの先端の基準となる垂直同期信号および１ラインの画素先端の基準となる水平同期信号を原稿読み取りタイミングに合わせて、通信部３０１を通して画像処理コントローラ部３００へ通知する。
【００３０】
画像処理コントローラ部３００は、ＣＰＵ（Ｂ）９０１、ＲＯＭ（Ｂ）９０２、ＲＡＭ（Ｂ）９０３を備えており、ＣＰＵ（Ａ）８０１とのコマンド通信部３０１を介して画像読取制御に関するデータの授受を行う。画像処理部８０７で処理された画像データは画像通信部３０２を介して、画像処理コントローラ部３００内の画像処理部９０５へ転送されて、色の判断などの所定の画像処理を施された後に、画像メモリ９０６に格納される。また、画像処理コントローラ部３００は、原稿の読取サイズ等を入力する入力部である操作表示部９０４を備えており、ユーザとのインターフェース制御は操作表示部９０４を介してＣＰＵ（Ｂ）９０１によって行われる。また、操作表示部９０４には所定の情報が表示される。なお、ＣＰＵ（Ｂ）９０１は、ユーザによって操作表示部９０４に入力された情報を受け取り、読み取りジョブ開始等の入力情報を処理する。
【００３１】
＜原稿サイズ検知、読取領域検知制御＞
次に本実施形態を適用した画像読取領域算出によるユーザへの報知制御について、図面を参照しながら説明する。なお、ここでは原稿の片面を読み取る例で説明する。
【００３２】
まず、図１の原稿トレイ３０上に置かれた原稿のサイズ検知方法について説明する。図３は画像読取装置１０００を上から見た図である。ユーザは原稿を原稿トレイ３０上に載置すると、原稿ガイド板２５Ａ，２５Ｂを原稿幅に合わせてセットする。図２に示した原稿幅検知センサ１４は原稿ガイド板２５Ａ，２５Ｂの間の幅を検知できるように構成されており、ＣＰＵ（Ａ）８０１は原稿幅検知センサ１４の値を参照することで、原稿トレイ３０上にセットされた原稿の幅を検知できる。
【００３３】
さらに原稿長検知センサ１５，１６は各センサの位置に原稿がある場合ＯＮ、ない場合ＯＦＦとなるように構成されている。原稿長検知センサ１５，１６は、例えば、原稿トレイ３０上の原稿を検出するフラグ式センサと、原稿トレイ３０上の原稿に光を照射し、その反射光を検出する光学式センサを選択的に用いることができる。例えば、原稿長検知センサ１５に光学式のセンサを用い、原稿長検知センサ１６にフラグ式のセンサを用いるといった構成が可能である。ＣＰＵ（Ａ）８０１はこれらの値を用いて、あらかじめＲＯＭ（Ａ）８０２に記録されたサイズ判定情報をもとにサイズを判定する。
【００３４】
また、ＣＰＵ（Ｂ）９０１は、画像記録装置２０００へのコピーを実行するときには、操作表示部９０４に印刷時のカセット給送段を指定し、印刷される出力サイズを確定することで、その出力サイズに応じた読取領域をＣＰＵ（Ａ）８０１へ指定できる。原稿トレイ３０上で検出した原稿のサイズを用いることにより、画像記録装置２０００のシート給送段を決定する等の処理を進めることができ、単位時間当たりの読取枚数である生産性やＦＣＯＴを向上できる。
【００３５】
さらに、ＣＰＵ（Ｂ）９０１は、ファイル送信機能を実行するときには、操作表示部９０４により送信原稿サイズを指定することにより、ＣＰＵ（Ａ）８０１へ読取領域を指定できる。
【００３６】
操作表示部９０４から読取領域を指定した場合において、原稿領域と読取領域が一致しないケースが発生しうる。原稿領域とは、原稿が実際に存在する領域である。読取り領域とは、画像読取部２００により読み取りが行われる領域である。図４は、原稿領域および読取領域との重なり領域の組合せ例を示した図である。原稿の領域を実線で囲んだ領域で表し、画像読取装置による読取領域を破線で示している。例えば、図４（ｆ）は、原稿領域がＡ４であり、読取領域がＡ４領域である場合を示し、原稿領域と読取領域が一致する通常のケースである。
【００３７】
図４（ａ）は、原稿領域がＡ４であり、読取領域が原稿領域よりも搬送方向の下流のＡ４領域である場合を表す。これは、原稿長検知センサ１５，１６に基づく原稿のサイズ検知の検知結果と、実際に搬送された原稿のサイズが異なる場合になりうる。例えば、搬送方向の後端を基準として読み取るような場合で、原稿トレイ３０にＡ３原稿とＡ４原稿を混載して載置し、ユーザがＡ４のサイズを読み取る設定を行ったときに発生する。詳細は「重なり部分の判定」の項目で説明をする。このような読取領域が原稿領域の外側となっている場合は読取領域の設定として適切ではない。本件は、このような原稿領域外の読取時に異常を検出するようにしたものである。
【００３８】
なお、後端基準読み取りとする一つの理由は、圧板読み取りと同じ領域を読み取るためである。圧板読み取りとＡＤＦでの流し読みの領域を同一とすることにより、ユーザから見た画像成果物の一貫性を保つことが可能となるが、このケースにおいては、領域外の読取となりうる。
【００３９】
図４（ｂ）は、原稿領域がＡ３−Ｒであり、読取領域が搬送方向前半のＡ４領域である場合（先端基準読み取り）を表す。先端基準読み取りとは、原稿の先端を基準として、原稿先端から搬送方向下流の所定の領域について読取りを行うものである。図４（ｂ）は、原稿トレイ上に読取面を上に向けてＡ３−Ｒ原稿を載置し、原稿を搬送して搬送方向前半半分のＡ４の領域を読み取った場合の読取設定をおこなった場合である。原稿の搬送方向先端から画像を読み始める場合において、Ａ３−Ｒ原稿のうちの搬送方向前半半分のＡ４領域を読み取る。
【００４０】
図４（ｂ）の場合において、読取倍率を１００［％］に設定し、原稿の入力サイズとプリンタ出力や送信ファイル出力サイズを同一とした場合、Ａ３−Ｒ原稿のうち後半半分部分は読み取られない。
【００４１】
図４（ｃ）は、原稿領域がＡ３−Ｒ領域であり、読取領域が搬送方向後半のＡ４領域である場合（後端基準読み取り）を表す。後端基準読み取りとは、原稿の後端を基準として、原稿後端から搬送方向上流の所定の領域について読取りを行うものである。図４（ｃ）の場合において、読取倍率を１００［％］に設定し、Ａ４領域を読み取る設定では、原稿の入力サイズとプリンタや送信ファイルへの出力サイズを同一とした場合、Ａ３原稿のうち前半半分部分は読み取られない。
【００４２】
さらに、図４（ｄ）,（ｅ）では読取領域Ａ３−Ｒが原稿領域Ａ４−Ｒを包含する関係となっている場合である。この場合は、読み取りを行うと原稿領域の画像が欠けることなく読み取られる。
【００４３】
＜読み取り手順＞
上記読み取りは、図５及び図６に示すフローチャートに示すように、読取領域と原稿領域の領域を用いて、両者の重なり領域を算出することにより、読み取り可能な場合は読み取りを実行し、読み取りが不適な場合はユーザに報知する。
【００４４】
具体的には、ＣＰＵ（Ａ）８０１は、まずＡＤＦの読み取りジョブが開始されると、ＣＰＵ（Ｂ）９０１より読取原稿の種類および読取領域を通知される（Ｓ４０１）。
【００４５】
そして、光学スキャナユニット２０２を読み取り位置へ移動させる（Ｓ４０２）。ＣＰＵ（Ａ）８０１は、光学モータ８０４に駆動パルス数を管理しながら制御することで、リードローラ７付近の表面流し読みガラス２０１下に移動する。なお、読み取り位置に移動する過程で、ＬＥＤ２０３を点灯した上で、画像処理部８０７によりシェーディング等の画像処理を実施する。
【００４６】
次に、ＣＰＵ（Ａ）８０１は、原稿トレイ３０上の原稿サイズを検出する（Ｓ４０３）。原稿サイズは、原稿幅検知センサ１４、および原稿長検知センサ１５，１６の検知結果の組み合わせにより決定される。
【００４７】
図７に原稿幅検知センサ１４、および原稿長検知センサ１５，１６の検知結果に応じて、ＣＰＵ（Ａ）８０１が原稿サイズを判別する際のサイズ判定表を示す。なお、図７において、例えばＡ４はＡ４横送りのサイズを示し、Ａ４−ＲはＡ４縦送りのサイズを示す。原稿幅検知センサ１４による検知結果の区分を行方向に記載し、原稿長検知センサ１５，１６の検知結果を列方向に記載する。例えば、原稿幅検知センサ１４がＡ/Ｄ変換式のセンサであり、検知結果が２９７［ｍｍ］を検出している場合、原稿幅区分は区分８であると判定する。
【００４８】
原稿長検知センサ１５と原稿長検知センサ１６がともにＯＦＦ（原稿なし）を検出している場合は、原稿サイズをＡ４サイズであると決定する。
【００４９】
原稿幅検知センサ１４が２９７［ｍｍ］を検出しており、原稿長検知センサ１５と原稿長検知センサ１６の少なくとも一方がＯＮ（原稿あり）を検出している場合は、原稿サイズをＡ３サイズであると決定する。
【００５０】
ここで、原稿トレイ３０上にサイズが異なるシートが混載されていたときの読み取りについて説明する。図８は原稿トレイ３０上にＡ４原稿とＡ３原稿とが混載されている状況を表している。この時、１枚目に搬送される原稿の物理的な原稿サイズはＡ４であるが、原稿トレイ３０上の原稿幅検知センサ１４、および原稿長検知センサ１５，１６で検知される原稿サイズは、１枚目の原稿に対してもＡ３サイズと判定する。
【００５１】
次に、ＣＰＵ（Ａ）８０１は、原稿の搬送を開始する（Ｓ４０４）。原稿の搬送は、分離モータ８０５を駆動することによって、給送ローラ１を原稿面に降下させ、分離上ローラ２、引き抜きローラ４を回転させることによって実現する。
【００５２】
ＣＰＵ（Ａ）８０１は、レジストレーションセンサ１１のＯＮを検知すると（Ｓ４０５）、レジストレーション制御（Ｓ４０６）を実施する。レジストレーション制御は、レジループ空間で原稿にループを形成する公知の技術によって実現されている。
【００５３】
次に、ＣＰＵ（Ａ）８０１は、搬送距離カウントタイマーをスタートさせる（Ｓ４０７）。レジストレーションセンサ１１の位置で原稿搬送距離をカウントし、レジストレーションセンサ１１がＯＦＦとなる（Ｓ４１１）までの搬送距離カウントを計測することにより、搬送時の原稿搬送方向長さを計測できる。
【００５４】
続いて、ＣＰＵ（Ａ）８０１は、原稿の先端がリードセンサ１２に到達し、リードセンサ１２のＯＮを検知した後（Ｓ４０８）、リードセンサ１２ＯＮから読み取り位置までの距離をカウントし、原稿先端が読み取り位置に到達するタイミングを検出する（Ｓ４０９）。すなわち、搬送しながら読取モータ８０６（パルスモータ）の駆動パルス数をカウントすることで、リードセンサ１２ＯＮから読取位置までの距離相当分を測定し、原稿先端が読取位置に到達するタイミングを検知する。これにより、原稿先端が読み取り位置に到達したタイミングで原稿先端から画像を読み取ることが可能となる。
【００５５】
次に、ＣＰＵ（Ａ）８０１は、スキャナユニット２０２の読み取りを開始する（Ｓ４１０）。ＣＰＵ（Ａ）８０１はスキャナユニット２０２によって読み取られた画像データを垂直同期信号と水平同期信号に同期して１ライン毎に画像通信部３０２を通して画像処理コントローラ部３００に転送する。
【００５６】
次に、ＣＰＵ（Ａ）８０１は、原稿の後端がレジストレーションセンサ１１に到達し、レジストレーションセンサ１１のＯＦＦを検知した後（Ｓ４１１）、搬送距離カウントタイマーを停止する（Ｓ４１２）。
【００５７】
原稿の後端をレジストレーションセンサ１１のＯＦＦにより検知したときの原稿の状態を図９に示す。Ｓ４１２にて検出した搬送距離カウント用のタイマーの時間および搬送速度を用いて、原稿の搬送方向の長さを算出する（Ｓ４１３）。ここで、読取モータ８０６にステッピングモータを用いる場合、入力したパルス数を数えることにより、搬送方向の長さを直接計測することも可能である。
【００５８】
（重なり部分の判定）
【００５９】
次に、原稿領域と読取領域との重なり部分を算出する（Ｓ４１４）。ここで、原稿領域と読取領域との重なり部分を算出する具体的な例として、搬送方向の長さの重なりを算出する方法と、面積を算出して用いる方法がある。
【００６０】
搬送方向の長さの重なりを算出する方法は、Ｓ４０１において操作表示部９０４から指定された読取領域と、Ｓ４１３において計測した原稿搬送長さとを用いる。
【００６１】
Ｓ４０１において操作表示部９０４から指定された読取領域が、原稿の搬送方向先端を０［ｍｍ］の基準位置として、ｘ［ｍｍ］からｙ［ｍｍ］の領域を読み取るという指定であるとする。
【００６２】
図４（ａ）は、原稿領域がＡ４領域であり、読取領域が搬送方向２１０［ｍｍ］から４２０［ｍｍ］のＡ４領域である場合を表す。このケースは、図８に示すように、載置トレイ３０にＡ４サイズの下にＡ３サイズの原稿が混載されている場合である。この場合、給送ローラ１により搬送される原稿がＡ４サイズであるときに、原稿長検知センサ１５，１６により検知される原稿がＡ３サイズとなる。このとき、検出したＡ３の搬送方向後端位置を基準として、読取領域Ａ４から読み出す指定を実施したときになりうるケースである。搬送方向に原稿先端基準を０［ｍｍ］とする場合、２１０［ｍｍ］から４２０［ｍｍ］を読み取る設定となり、原稿領域外を読み取る指定となる。
【００６３】
このような異常な領域の読み取りを検出するための手段として、搬送される原稿長さである原稿先端から原稿後端位置までの長さ（以下、単に「原稿後端位置」とする。）と、原稿先端からの読取開始位置までの長さ（以下、単に「読み取り開始位置」とする。）を用いて、原稿領域のうち、どの程度の搬送方向長さの画像が読めているかを検出する。
【００６４】
具体的には、「読み取り開始位置−原稿後端位置」を算出する。この値が画像を適切に読めているか否かを判定する一つの指標である。本実施形態におけるＳ４１４で算出する重なり部分に関する情報とは、原稿先端を基準とした読み取り開始位置から、原稿先端を基準とした原稿後端位置を差し引いた長さとする。
【００６５】
同様に、面積を算出して用いる方法は、原稿領域と画像領域の重なり部分を原稿搬送方向だけではなく、搬送方向と直交する主走査方向に関する長さ情報を用いることにより、面積を計算できる。Ｓ４１４で求める重なり部分に関する情報として、この面積を用いることも可能である。
【００６６】
ここで、図１０及び図１１を用いて、どの程度の領域の画像が読めているかを検出する手段としての、原稿領域と画像領域の重なり部分の算出について説明する。
【００６７】
図１０は、原稿領域と読取領域との搬送方向の長さに関する重なり領域を算出する例を示す。原稿の搬送方向の物理的な長さを実線矢印で表し、読み取り領域の副走査長さを破線矢印で表し、原稿のうち読み取られる領域の副走査長さを点線矢印で表している。
【００６８】
図１０（ａ）は、原稿領域がＡ４であり、読取領域が原稿領域よりも搬送方向の下流のＡ４領域である場合を表す。
【００６９】
このとき、画像読み取り開始位置２１０［ｍｍ］であり、搬送しながら計測した原稿の搬送方向の長さは、２１０［ｍｍ］＋α［ｍｍ］である。なお、αは搬送計測誤差であり、これは原稿の実長さの２％程度である。よって、長さ２１０［ｍｍ］の原稿の場合、搬送計測誤差αは４［ｍｍ］程度である。
【００７０】
画像の欠けを予防するために搬送計測誤差αが常にプラスの値となる範囲で計測できると仮定し、この搬送誤差分を打ち消すためのマージンβを設ける。βは、例えば２０［ｍｍ］とする。
【００７１】
このマージンを考慮した搬送しながら計測した原稿後端位置は、「原稿の搬送方向の長さ２１０［ｍｍ］＋α［ｍｍ］−β［ｍｍ］」とする。
【００７２】
したがって、図１０（ａ）の場合、「読み取り開始位置−原稿後端位置」は、「２１０−（２１０＋α−β）」であり、上記よりβ＞αであるから、正の値となる。この値が正の値の場合、原稿領域外の読み取りを表す。
【００７３】
図１０（ｂ）は、原稿領域がＡ３であり、読取領域が搬送方向前半のＡ４領域である場合（先端基準読み取り）を表す。このとき、画像読み取り開始位置＝０［ｍｍ］であり、搬送しながら計測した原稿後端は、原稿の搬送方向の長４２０［ｍｍ］＋搬送計測誤差α［ｍｍ］である。なお、この場合のαは８［ｍｍ］程度である。そのため、「読み取り開始位置−原稿後端位置」は、「０−（４２０＋α−β）」であるから、負の値となる。
【００７４】
図１０（ｃ）は、原稿領域がＡ３であり、読取領域が搬送方向後半のＡ４領域である場合であるため、画像読み取り開始位置＝２１０［ｍｍ］である。したがって、「読み取り開始位置−原稿後端位置」は、「２１０−（４２０＋α−β）」であるから、負の値となる。
【００７５】
図１０（ｄ），（ｅ）は、例えば、原稿領域が縦長のＡ４サイズであるのに対し、読み取り領域が縦長のＡ３領域であって、読取領域が原稿領域を包含する関係となっている場合である。この場合も「読み取り開始位置−原稿後端位置」は、負の値となる。
【００７６】
図１０は原稿領域と読取領域との搬送方向の長さに関する重なり領域を算出する例を示したが、原稿領域と読取領域と搬送方向長さと、搬送方向に直交する画像走査方向の重なり領域（重なり面積）を算出するようにしてもよい。ここで、重なり面積を算出する例を図１１を参照して説明する。なお、図１１（ａ）〜（ｅ）の原稿領域と読取領域の関係は、図１０（ａ）〜（ｅ）の関係と同じである。
【００７７】
例えば、図１１（ａ）は、原稿領域の面積がＡ４サイズであり、読取領域の面積がＡ４サイズであって原稿先端から読み取り開始位置までの長さが２１０［ｍｍ］である。このため、読取領域が原稿領域の外側となっており、斜線で示した重なり面積部分は存在しない。したがって、重なり部分の面積を、原稿領域の面積により割った割合が原稿領域のうち読み取りできた領域の割合（読取割合）であるとすると、この場合の読取割合は０である。
【００７８】
また、図１１（ｂ）の場合は、原稿領域の面積がＡ３サイズであり、読取領域の面積がＡ４サイズであって原稿先端から読み取り開始位置までの長さは０［ｍｍ］である。このため、読取領域と原稿領域の重なり面積はＡ４サイズであり、この場合の読取割合は１／２である。図１１（ｃ）の場合は原稿先端から読み取り開始位置までの長さが２１０［ｍｍ］であるが、図１１（ｂ）の場合と同様に読取領域と原稿領域の重なり面積はＡ４サイズであり、読取割合は１／２である。
【００７９】
図１１（ｄ）（ｅ）は、原稿先端から読み取り開始位置までの長さに差はあるが、ともに原稿領域の面積がＡ４サイズであり、読取領域の面積がＡ３サイズであり、重なり面積部分はＡ４サイズである。このため、重なり部分の面積を、原稿領域の面積により割った読取割合は１である。
【００８０】
図１１（ｆ）は、原稿領域の面積がＡ４サイズであり、読取領域の面積がＡ４サイズであって原稿先端から読み取り開始位置までの長さが０［ｍｍ］である。このため、重なり面積はＡ４サイズであり、読取割合は１である。以上のようにして、Ｓ４１４で求める重なり部分に関する情報として、前記読取割合を用い、例えば読取割合が０の場合は読み取りを中止するとすることも可能である。
【００８１】
Ｓ４１４で求めた重なり部分に関する情報を用いて読み取りを継続すべきか否かの判定は、図５のＳ４１５において、搬送時長さ補正ジョブであるかを判定した後、Ｓ４１６において、重なり部分が所定量以下であるか否かにより判定する。
【００８２】
Ｓ４１５における搬送時長さ補正ジョブとは、搬送しながら計測した長さを用いて、大きいメモリの領域を確保して読み取る長尺設定読み取りと呼ばれる読み取り手段により実施される。搬送時長さ補正ジョブにするか否かは、ユーザが読取り開始前にあらかじめ設定することができる。搬送時長さ補正ジョブを設定すると、搬送しながら計測した長さを用いることになるため、原稿長検知センサ１５，１６を用いたサイズ情報は画像読取りには用いられない。
【００８３】
長尺設定読み取りであっても本実施形態では図５及び図６のフローチャートに従って実行される。このとき、ＣＰＵ（Ｂ）９０１は、対応する最大原稿サイズである２９７［ｍｍ］×６３０［ｍｍ］分の画像メモリを確保する。Ｓ４１３によって搬送しながら計測した原稿の長さを用いて、画像が読み込まれた領域の画像を切り出す。これにより、予め搬送開始時に原稿サイズが分かっていなかった場合においても、読み取りながら長さを補正することができる。
【００８４】
Ｓ４１６における重なり部分が所定量以下であるか否かとは、Ｓ４１４により求めた原稿領域の搬送方向長さ、読取領域の搬送方向長さ、原稿先端からの読み取り開始位置、重なり領域の長さから求められる値が閾値以下であることで判定する。あるいは、原稿領域の面積、読取領域の面積、原稿先端からの読み取り開始位置、重なり領域の面積から求められる値が閾値以下であることで判定する。
【００８５】
上記の閾値を０とすると、まったく重なりがない場合、すなわち、図４、図１０、図１１における（ａ）のケースにおいては、読み取りを実行しても原稿を読み取ることはできないため、読み取りを中止することが可能となる。
【００８６】
なお、重なり領域の算出に際し、原稿領域、読取領域の搬送方向の長さを用いた場合、原稿を搬送したときに計測した長さに計測誤差が生じることがある。そこで、「読み取り開始位置−原稿後端位置」の長さをＳ４１４により求める重なり部分に関する情報であるとすると、搬送方向の搬送計測誤差を考慮して、閾値を例えば２０［ｍｍ］程度として採用することも可能である。この場合、図４（ｂ）や（ｃ）のようなケースにおいて画像の読み取りを継続することができる。
【００８７】
これにより、載置トレイ３０に複数サイズの原稿が混載され、ユーザから混載の指定がなされなかった場合、読み取り画像が白紙にならないのであれば、読み取りを継続できるように構成することができる。
【００８８】
前記閾値を適宜設定により、読み取りを中止するか否かを柔軟に設定することが可能となる。
【００８９】
例えば、図４（ｂ）において、Ａ３原稿領域のＡ４領域分だけ読み取る指定の場合で読み取りを止めるよう設定するには、Ｓ４１４による重なり部分に関する情報として、原稿上の画像読取割合を求め、Ｓ４１６により判定する閾値を１/２以上とすればよい。
【００９０】
上記のようにすることで、図４（ｂ）や（ｃ）の場合においても、中止の判定を行うことができる。Ａ３のうちＡ４領域だけを読み取るというケースは、Ａ３サイズの原稿をＡ４サイズに縮小して読み取ることを期待して、倍率を設定し忘れているというケースが考えられる。このとき、図１２に示すように、原稿サイズと読取サイズの不一致と読み取り中止又は倍率設定を促す画面をＳ４２７により表示部に表示することも可能である。
【００９１】
（原稿領域と読取領域との重なり部分が所定量以下の場合）
ＣＰＵ（Ａ）８０１は、Ｓ４１６において、重なり部分が所定量（閾値）以下であると判定した場合、読み取りを中止する（Ｓ４１７）。重なり部分が所定量（閾値）以下である判定を、Ｓ４１４にて求めた値が正の値である場合により判定することができる。Ｓ４１４にて求めた値が正の値である場合は、原稿領域と読取領域との重なり部分がない場合となる。また、Ｓ４１４にて求めた値と比較する閾値を原稿長さに応じて変更してもよい。読み取りの中止は、コマンド通信部３０１を経由して、ＣＰＵ（Ｂ）９０１へ通知する。読み取りの完了前に、中止を通知することで、コピージョブの場合には、プリンタが印刷シートを給送する前に停止することが可能となる。これにより、無駄な印刷が行われることがなくなる。
【００９２】
このとき、ＣＰＵ（Ａ）８０１は、読み取りを中止するが、原稿の搬送を停止せずに続行し、原稿を排出トレイ３１に排出する（図１３）。これにより、ユーザが原稿を取り除く処理（紙詰まり処理）をする必要がなく、使い勝手が向上する。
【００９３】
続いて、ＣＰＵ（Ａ）８０１は、レジストレーションセンサＯＦＦタイムアウトとなったかを判定する（Ｓ４１８）。これにより、読み取りを中止した原稿の搬送時に紙詰まりが発生したか否かを判定する。例えば、レジストレーションセンサＯＦＦタイムアウトの時間は、ＬＤＲサイズの原稿の副走査長（４３１.８［ｍｍ］）に搬送マージン（例えば８０［ｍｍ］）を加えた距離を搬送した時間とすることができる。
【００９４】
ＬＤＲサイズの原稿の副走査長（４３１.８［ｍｍ］）とする理由は定型シートの中で副走査長が最大であるからである。本構成においては、レジストレーションセンサ１１が搬送パス上の最上流側のセンサであり、原稿長さはまだ確定していないためである。
【００９５】
次に、ＣＰＵ（Ａ）８０１は、レジストレーションセンサＯＦＦ検知がタイムアウトとならず（Ｓ４１８Ｎｏ）、レジストレーションセンサ１１がＯＦＦ（Ｓ４１９  Ｙｅｓ）の場合に、リードセンサ１２の紙詰まり検知を実施する（Ｓ４２０）。
【００９６】
リードセンサ１２のタイムアウト時間は、前記レジストレーションセンサＯＦＦ時に原稿の長さが判別できるため、例えば、レジストレーションセンサＯＦＦにより検出した原稿長さに紙詰まり検出のマージン距離を加えることで決定することができる。
【００９７】
次に、ＣＰＵ（Ａ）８０１は、リードセンサＯＦＦ検知がタイムアウトとならず（Ｓ４２０Ｎｏ）リードセンサ１２がＯＦＦ（Ｓ４２１  Ｙｅｓ）の場合に、排出センサ１３の紙詰まり検知を実施する（Ｓ４２２）。排出センサ１３の紙詰まり検知は、リードセンサ１２の紙詰まり検知と同様の検出としてもよい。
【００９８】
次に、ＣＰＵ（Ａ）８０１は、排出センサＯＦＦ検知がタイムアウトとならず（Ｓ４２２Ｎｏ）排出センサ１３がＯＦＦ（Ｓ４２３  Ｙｅｓ）となった場合に、原稿の停止制御を実施する（Ｓ４２４）。停止位置の例を図１３に示す。
【００９９】
図１３の例では、原稿排出トレイ３１に原稿を完全に排出する位置まで搬送している。図１３に示す位置まで搬送することにより、原稿を原稿トレイ３０に戻しやすくするメリットがある。
【０１００】
続いて、ＣＰＵ（Ａ）８０１は、ＣＰＵ（Ｂ）９０１へ原稿サイズ不一致時の混載設定画面表示を表示するか否かを問い合わせる（Ｓ４２５）。ＣＰＵ（Ｂ）８０１は、ジョブ投入前にあらかじめ、操作表示部９０４に図１４に示す原稿サイズ不一致時の混載設定画面から、原稿サイズ不一致時に混載設定を表示するか、倍率設定を表示するか選択できる。
【０１０１】
これにより、混載設定と倍率設定のどちらかを頻繁に使用するか等の使い方に応じてユーザごとに設定を切り替えられる構成をとることもできる。
【０１０２】
原稿サイズ不一致時の混載設定画面を表示する場合（Ｓ４２５Ｙｅｓ）、ＣＰＵ（Ａ）８０１は、原稿長の異常を検出したことをユーザに報知する（Ｓ４２６）。
【０１０３】
ユーザへの報知は、コマンド通信部３０１を経由して、ＣＰＵ（Ｂ）９０１へ異常の発生を通知し、操作表示部９０４へ図１５に示すような画面を表示することにより実現する。
【０１０４】
図１５は、原稿トレイ３０上に物が置かれているものを取り除く、もしくは、混載設定を促す画面である。図１５は、図１６のように原稿トレイ３０に原稿以外の物４００が置かれることにより、原稿長検知センサ１６等がＯＮして原稿サイズを誤検知することがあるため、このような場合に物４００を取り除いてもらうことを促すための画面である。
【０１０５】
原稿サイズ不一致時の混載設定画面を表示しない設定の場合（Ｓ４２５Ｎｏ）、ＣＰＵ（Ａ）８０１は、原稿長の異常を検出したことをユーザに報知する（Ｓ４２７）。図１５は読み取りを中止するか、倍率を設定するかを選択する画面である。
【０１０６】
ユーザは操作表示部９０４に表示される中止ボタンを押下することにより、ＡＤＦの読み取りジョブを中止できる。また、混載設定ボタンを押下することにより、再読み取り時に実施するジョブを混載設定とすることができる。
【０１０７】
また、倍率設定ボタンを押下することにより、操作表示部９０４に倍率を設定する画面を表示することができ、ここから読み取り倍率設定をすることができる。
【０１０８】
Ｓ４２６（又は４２７）にて、ユーザに原稿長の異常を通知した後、一旦ＡＤＦの読み取りジョブを終了する。
【０１０９】
また、ＣＰＵ（Ａ）８０１は、Ｓ４１８、Ｓ４２０、Ｓ４２２ステップで、タイムアウトを検出し、紙詰まりを検出した場合には、タイムアウトを検出した時点で原稿搬送を停止する（Ｓ４２８）。これにより、重なり部分が所定量以下を検出した場合の排出トレイ３１への排出時にも、通常読み取り時に実施する滞留の紙詰まりを検知でき、折れ原稿が搬送路で引っかかるなどによる原稿の座屈を予防できる。
【０１１０】
Ｓ４２６ステップに続いて、ＣＰＵ（Ａ）８０１は、読み取りの異常と、紙詰まりを検出したことをユーザに通知する（Ｓ４２９）。ユーザへの報知は、コマンド通信部３０１を経由して、ＣＰＵ（Ｂ）９０１へ異常の発生を通知し、操作表示部９０４へ紙詰まり時の画面を表示することにより実現する。
【０１１１】
（原稿領域と読取領域との重なり部分が所定量以上の場合）
【０１１２】
次に重なり部分が所定量以上と算出され、サイズが正常に判定できた場合のフローチャートを以下に記載する。ＣＰＵ（Ａ）８０１は、Ｓ４１６にて重なり部分が所定量以下でない場合、正常に読み取りを継続し、リードセンサのＯＦＦを検知する（Ｓ４３０）。そして、ＣＰＵ（Ａ）８０１は、原稿トレイ３０上で検出した原稿長さ分の画像の読み取りを完了する（Ｓ４３１）。
【０１１３】
その後、ＣＰＵ（Ａ）８０１は、原稿の搬送を継続し、排出センサ１３のＯＦＦを検出した後（Ｓ４３２）、原稿を排出センサ１３から排出ローラ９への距離を搬送し、排出する（Ｓ４３３）。排出センサ１３のＯＦＦ検知においての紙詰まり検知については、公知の技術により実現する。
【０１１４】
そして、ＣＰＵ（Ａ）８０１は、次原稿の有無を判定する（Ｓ４３４）。次原稿の有無は、原稿有無判定センサ１０により判定する。原稿がある場合（Ｓ４３４Ｙｅｓ）には、Ｓ４０３ステップに戻り、次の原稿を搬送する。原稿がない場合（Ｓ４３４Ｎｏ）には、ＡＤＦの読み取りジョブを終了する。
【０１１５】
このように制御することで、コピー時に給送段を指定することや、ファイル転送時の送信サイズの確定タイミングを遅らせることなく、読み取りを開始することができる。これにより、ＦＣＯＴや生産性に対して、影響を与えることなく、読み取りジョブを実行することが可能となる。
【０１１６】
以上のように、本実施形態では搬送時に検出した原稿領域と、読み取り指定領域との重なり部分を計算し、所定量以下かどうかを判定することにより読み取りを中止するか否かを判定する。これにより、原稿トレイ上で実際の原稿サイズと異なり、さらに、原稿領域と異なる読み取り領域の指定がなされた場合に画像が欠ける可能性を低減することができる。
【０１１７】
そのための手段として、Ｓ４１４で求めた重なり部分に関する長さ、面積、割合に関する情報のうち一つを重なり部分を表す指標として用い、重なり部分が所定量以下であるか否かにより、読み取りを中止か否かを判定する。これにより、原稿トレイ上で原稿サイズを正しく検知できず、読み取りの指定が正しくなされていなかった場合であっても、ユーザが原稿の画像欠けに迅速に気づき、再度の読み取りを煩わしくなく実施できる使い勝手のよい原稿読取装置を提供できるものである。
【符号の説明】
【０１１８】
１０００……画像読取装置
１００……ＡＤＦ
２００……画像読取部
３００……画像処理コントローラ
１……給紙ローラ
５……レジストローラ
６……読み取り上流ローラ
７……リードローラ
１０……原稿有無検知センサ
１１……レジセンサ
１２……リードセンサ
１３……排紙センサ
１４……原稿幅検知センサ
１５……原稿長検知センサ
１６……原稿長検知センサ
３０……原稿トレイ
２０８……画像読取センサ
【図１】
2017034529.tif 000003
【図２】
2017034529.tif 000004
【図３】
2017034529.tif 000005
【図４】
2017034529.tif 000006
【図５】
2017034529.tif 000007
【図６】
2017034529.tif 000008
【図７】
2017034529.tif 000009
【図８】
2017034529.tif 000010
【図９】
2017034529.tif 000011
【図１０】
2017034529.tif 000012
【図１１】
2017034529.tif 000013
【図１２】
2017034529.tif 000014
【図１３】
2017034529.tif 000015
【図１４】
2017034529.tif 000016
【図１５】
2017034529.tif 000017
【図１６】
2017034529.tif 000018